(57)【要約】【課題】筐体の開口部を開閉自在に塞ぐカバーを挿入荷重は小さいが引き抜きがたいものにする。【解決手段】筐体３の開口部３ａの周縁に形成したヒンジ用開口３ｂに、カバー１０のカバーヒンジ１１が抜け止めされる。このカバーヒンジ１１の先端にカエリ部１２を形成し、ヒンジ用開口３ｂの内側周縁３ｄ又は内側周縁３ｄに設けた部品の少なくとも一部に可撓性のある抜け止め用シート２２を貼り付ける。抜け止め用シート２２を、カエリ部１２の挿入を許容するとともに、挿入後は、カエリ部１２が引っ掛かって抜け止めするように構成する。【選択図】図１
2017069343.tif 000002
【特許請求の範囲】
【請求項１】
筐体に形成した開口部を覆うカバーを有し、該開口部の周縁に形成したヒンジ用開口に該カバーのカバーヒンジが抜け止めされる電子機器において、
上記カバーヒンジの先端に形成したカエリ部と、
上記ヒンジ用開口の内側周縁又は該内側周縁に設けた部品の少なくとも一部には、可撓性のある抜け止め用シートとを備え、
上記抜け止め用シートは、上記カエリ部の挿入を許容するとともに、挿入後は、該カエリ部が引っ掛かって抜け止めするように構成されている
ことを特徴とする電子機器。
【請求項２】
請求項１に記載の電子機器において、
上記抜け止め用シートは、一端が上記ヒンジ用開口の内側周縁に貼り付けられ、他端が上記ヒンジ用開口の内側へ揺動可能に構成されている
ことを特徴とする電子機器。
【請求項３】
請求項１又は２に記載の電子機器において、
上記抜け止め用シートは、一端が上記ヒンジ用開口の内側周縁に垂直な面に固定されており、他端が上記ヒンジ用開口の内側周縁に対して離れる方向に揺動可能に構成されている
ことを特徴とする電子機器。
【請求項４】
請求項１から３までのいずれか１つに記載の電子機器において、
上記抜け止め用シートは、貼付側の一端と、揺動側の他端とが、上記筐体の長手方向に並んでいる
ことを特徴とする電子機器。
【請求項５】
請求項１から４までのいずれか１つに記載の電子機器において、
上記カバーヒンジの他端には、一部切欠きが形成され、
上記カエリ部は、上記カバーヒンジの外周の一部にのみ設けられ、該カバーヒンジを回転させることで、上記他端の切欠きの部分で揺動していた他端が元の位置に戻るように構成されている
ことを特徴とする電子機器。
【発明の詳細な説明】
【技術分野】
【０００１】
本発明は、筐体に形成した開口部を開閉自在に塞ぐカバーを有し、この開口部の周縁に形成したヒンジ用開口にカバーのカバーヒンジが抜け止めされる電子機器に関し、特に、カバーヒンジの抜け止め構造の改善に関する。
【背景技術】
【０００２】
従来より、スマートフォンを代表とする電子機器において、充電用コネクタを差し込む開口部やＳＤカード等のメモリーカードを出し入れする開口部に対して、防塵、防水、外観向上等のためにカバーが設けられている。
【０００３】
このカバーは、紛失防止を目的としたものであり、電子機器の完成後に取付可能であることを前提とし、カバーから延びた軸や舌部（以下、カバーヒンジという）の先端に、周囲よりも外形が大きくなった抜け止め用のカエリ部を設け、このカエリ部を筐体に設けたヒンジ用開口に差し込むことで、筐体からの抜け止めを行ってカバーが筐体から外れないようにすることが知られている。この種の構造では、ヒンジ用開口の幅がカエリ部の幅よりも小さいため、カエリ部の内側に切欠きや凹部を設けて変形しやすくし、この部分を変形させてヒンジ用開口に挿入するようにしている。
【０００４】
例えば、特許文献１のように、先端部分に引っ掛け爪が形成された突起部を有し、この突起部により筐体に装着されるコネクタカバーと、外部接続用コネクタと、この外部接続用コネクタに対応する開口部と、突起部が挿入される孔が形成され、この孔を突起部の先端部分が通過した先に引っ掛け爪を係止するリブを有する係止部とを備える筐体とを備える携帯端末機器が知られている。この突起部の先端部分には変形用の溝が設けられており、突起部の先端部分は、溝の方向に収縮して係止部の孔を通過するように構成されている。
【先行技術文献】
【特許文献】
【０００５】
【特許文献１】特開２００３−２５８９６４号公報
【発明の概要】
【発明が解決しようとする課題】
【０００６】
このような開口部を開閉自在に塞ぐカバーは、挿入しやすい構造にすると外れやすくなり、カバーを開閉する際に意図せず抜け落ちて紛失する場合がある。一方で、引き抜き荷重を上げるためにヒンジ用開口の大きさを小さくしたり、カエリ部を大きくしたりすると、挿入時の荷重が大きくなりすぎて挿入し辛くなるという問題がある。
【０００７】
本発明は、かかる点に鑑みてなされたものであり、その目的とするところは、筐体の開口部を開閉自在に塞ぐカバーを挿入荷重は小さいが引き抜きがたいものにすることにある。
【課題を解決するための手段】
【０００８】
上記の目的を達成するために、この発明では、ヒンジ用開口の内側周縁に可撓性のある抜け止め用シートを設けた。
【０００９】
具体的には、本発明では、筐体に形成した開口部を覆うカバーを有し、該開口部の周縁に形成したヒンジ用開口に該カバーのカバーヒンジが抜け止めされる電子機器において、
上記カバーヒンジの先端に形成したカエリ部と、
上記ヒンジ用開口の内側周縁又は該内側周縁に設けた部品の少なくとも一部には、可撓性のある抜け止め用シートとを備え、
上記抜け止め用シートは、上記カエリ部の挿入を許容するとともに、挿入後は、該カエリ部が引っ掛かって抜け止めするように構成されている。
【００１０】
上記の構成によると、抜け止め用シートは、カエリ部の挿入時には、カエリ部の挿入を容易にし、挿入後は、カエリ部が引っ掛かって抜け止め効果を発揮する。抜け止め用シートで抜け止め効果を確保できるので、開口部の大きさをカエリ部が通過可能な程度に大きくすることができる。このため、カエリ部を挿入しやすい上に、カエリ部に従来のような切欠きや凹部を設けて変形しやすくする必要がなく、カエリ部及びその周辺を小型化できる。また、筐体とは別体の抜け止め用シート側で材料、厚み、形状等を調整することで、カエリ部の抜け止め強度を調整できるため、筐体構造の共通化を図ることができる。
【発明の効果】
【００１１】
以上説明したように、本発明によれば、ヒンジ用開口の内側周縁又は内側周縁に設けた部品に抜け止め用シート少なくとも一部が貼り付けてカエリ部の挿入を許容するとともに、挿入後はカエリ部が引っ掛かって抜け止めするようにしたことにより、筐体の開口部を開閉自在に塞ぐカバーを挿入荷重は小さいが引き抜きがたいものにすることができる。
【図面の簡単な説明】
【００１２】
【図１】図２のＩ−Ｉ線断面図及びその一部拡大断面図である。
【図２】本発明の実施形態１に係るスマートフォンを背面側から見た斜視図であり、カバーを外した状態のヒンジ用開口及びその周辺を拡大して示す。
【図３】実施形態１に係るスマートフォンを示す分解斜視図であり、抜け止め用シート及びカバーを拡大して示す。
【図４】筐体の背面側をヒンジ用開口の内側周縁を一部拡大して示す斜視図である。
【図５】カエリ部挿入前を示すヒンジ用開口及びその周辺を拡大して示す断面図である。
【図６】カエリ部挿入中を示すヒンジ用開口及びその周辺を拡大して示す断面図である。
【図７】カバーを引き出したときのヒンジ用開口及びその周辺を拡大して示す断面図である。
【図８】本発明の実施形態２に係るスマートフォンを背面側から見た斜視図であり、カバーを外した状態のヒンジ用開口及びその周辺を拡大して示す。
【図９】実施形態２に係るスマートフォンを示す分解斜視図であり、抜け止め用シート及びカバーを拡大して示す。
【図１０】カエリ部挿入中を示すヒンジ用開口及びその周辺を拡大して示す図８のＸ−Ｘ線拡大断面図である。
【図１１】カエリ部が挿入された状態でカバーを回転させた状態を示す断面図である。
【図１２】実施形態３に係るスマートフォンを上下に延びる平面で切断した図８のXII−XII線断面図である。
【図１３】図１２のXIII−XIII線断面図である。
【図１４】カバーヒンジを省略した図１３相当図である。
【発明を実施するための形態】
【００１３】
以下、本発明の実施形態を図面に基づいて説明する。
【００１４】
（実施形態１）
図１〜図３は、本発明の実施形態１の電子機器としてのスマートフォン１を示し、このスマートフォン１は、正面側に液晶表示部２が嵌め込まれる樹脂成形品等よりなる筐体３を備えている。筐体３は、樹脂成形品でも金属成形品でもよい。例えば、筐体３の背面側にメイン基板４が収容され、その背面側がリアカバー５で覆われている。メイン基板４の背面には、充電池６が収容され、下方にはメインアンテナ７が配置されているが、これらの構成はこれに限定されない。
【００１５】
例えば、メイン基板４の左側にＳＩＭトレイ８やマイクロＳＤカード９を装着するコネクタが設けられており、筐体３の左側面には、これらを出し入れするための上下に長い開口部３ａが形成されている。この開口部３ａは、カバー１０で開閉可能に覆われている。なお、開口部３ａの位置は、筐体３のどの面に設けられていてもよい。
【００１６】
このカバー１０は、図３及び図５に示すように、上下に長く外観に露出するカバー本体１０ａと、その裏側の開口部３ａを覆うパッキン部１０ｂとを備え、その上端側には、カバー１０を開いたときにカバー１０が抜け止めするのを防止すると共に、カバー１０を大きく開くことができるように、カバーヒンジ１１が筐体３の内部へ延びている。例えば、カバーヒンジ１１は、カバー本体１０ａに一体成形されている。このカバーヒンジ１１の先端には、基端側よりも外形の大きい鉤状のカエリ部１２が一体形成されている。図５に示すように、カエリ部１２の筐体３の厚さ方向の高さＨ１とヒンジ用開口３ｂの高さＨ２とは、ほぼ同じとなっている。カエリ部１２は、挿入を容易にするための切欠きや凹部が形成されていない。開口部３ａの周縁上端には、例えば矩形状断面のヒンジ用開口３ｂが形成されている。図２に示すように、カバー１０が嵌め込まれる開口部３ａ周縁は、カバー本体１０ａの形状に合わせてカバー収容凹部３ｃが形成されている。
【００１７】
図３及び図４に示すように、ヒンジ用開口３ｂの内側には、例えばヘッドホンジャック２０がメイン基板４の上端に固定されており、その近傍には、マイクロＵＳＢ端子用コネクタ２３が設けられている。図４に示すように、マイクロＵＳＢ端子用コネクタ２３の下方のヒンジ用開口３ｂの内側周縁３ｄに抜け止め用シート２２の一端２２ａが両面テープ等により貼り付けられている。抜け止め用シート２２は、接着剤等により接着されてもよく、又は、ヒンジ用開口３ｂを有する部品に一体的に形成されてもよい。
【００１８】
貼り付けられていない他端２２ｂ側には、カエリ部１２を通しやすくする矩形状の切欠き２２ｃが形成されている。図５に示すように、この切欠き２２ｃの筐体３の厚さ方向の高さＨ３は、カエリ部１２の高さＨ１よりも低くなっている（Ｈ３＜Ｈ１）。抜け止め用シート２２の一端２２ａと他端２２ｂとの間には、直線状のミシン目２２ｄが形成されている。なお、一端２２ａは、マイクロＵＳＢ端子用コネクタ２３など内側周縁３ｄ近傍に設けた部品に貼り付けられていてもよい。このように、抜け止め用シート２２は、一端２２ａは、ヒンジ用開口３ｂの内側周縁３ｄに貼り付けられ、図６に示すように、ミシン目２２ｄを境に他端２２ｂがヒンジ用開口３ｂの内側へ揺動可能に構成されている。抜け止め用シート２２の材料は、例えば可撓性のあるＰＥＴ樹脂に代表される汎用プラスチックや、ポリカーボネイト（ＰＣ）に代表されるエンジニアリングプラスチックなどの一般的な樹脂シートなどよりなり、厚さは、例えば０．２ｍｍとする。抜け止め用シート２２の厚さや材質を変更することで、揺動しやすさや抜け出しにくさを調整することができる。
【００１９】
本実施形態では、切欠き２２ｃを形成しているが、切欠き２２ｃを形成せずに、他端２２ｂの自由端側長さを短くしてもよい。また切欠き２２ｃの両側部分の筐体３の正面側へ延びる脚部２２ｅ（図４にのみ示す）は、一方のみ形成してもよい。この脚部２２ｅを設けることにより、カエリ部１２が他端２２ｂ側に引っ掛かったときの抜け止め強度を向上させることができる。
【００２０】
この抜け止め用シート２２の他端２２ｂは、切欠き２２ｃの部分でカエリ部１２の先端の挿入を許容するとともに、ミシン目２２ｄを境に揺動してカエリ部１２を通過させ、通過後は、カエリ部１２が切欠き２２ｃの周縁に引っ掛かって抜け止めするように構成されている。
【００２１】
次いで、本実施形態におけるカバー１０の組付手順について説明する。
【００２２】
図５に示すように、まず、カエリ部１２をヒンジ用開口３ｂに挿入する。
【００２３】
次いで、図６に示すように、カエリ部１２の先細となった先端側が切欠き２２ｃの部分に挿入され、この切欠き２２ｃ周縁を含む他端２２ｂ側を内側へ揺動させる。このように抜け止め用シート２２は、カエリ部１２の挿入時には、内側に押し込まれるようにミシン目２２ｄを境に揺動してカエリ部１２の挿入を容易にする。ミシン目２２ｄを設けることで、ミシン目２２ｄを境に揺動しやすくなっているので、従来のものよりも弱い力でカバーヒンジ１１をヒンジ用開口３ｂに挿入することができる。
【００２４】
挿入後、カエリ部１２が通過すると、抜け止め用シート２２は揺動前の状態に戻る。図１及び図４に拡大して示すように、カバー１０を閉じた状態では、シート２２の他端２２ｂ側は、一端２２ａ側とともに内側周縁３ｄの近傍に平板状に収まる。
【００２５】
一方、図７に示すように、カバー１０を開くためにカバーヒンジ１１を引っ張ると、カエリ部１２が抜け止め用シート２２の他端２２ｂ側における切欠き２２ｃの周縁に引っ掛かる。他端２２ｂは、ヒンジ用開口３ｂの周縁に当接してそれ以上左右外方（図７の右側）へ揺動しないので、抜け止め効果が確実に発揮される。このため、抜け止め用シート２２を塑性変形させるなど、かなりの強さでカバーヒンジ１１を引っ張らない限り、カエリ部１２が外れることはない。
【００２６】
また、抜け止め用シート２２で抜け止め効果を確保できるので、開口部３ａの大きさをカエリ部１２が容易に通過可能な程度に大きくすることができる。このため、カエリ部１２を挿入しやすい上に、カエリ部１２に従来のような切欠きや凹部を設けて変形しやすくする必要がなく、カエリ部１２等を小型化できる。また、抜け止め用シート２２側で材料、厚み、形状等を調整することでカエリ部１２の抜け止め強度を調整できるため、筐体３構造の共通化を図ることができる。
【００２７】
このように本実施形態では、抜け止め用シート２２の一端２２ａをヒンジ用開口３ｂの内側周縁３ｄに貼り付け、他端２２ｂをヒンジ用開口３ｂの内側へ揺動可能に構成したので、簡単な構成により、カエリ部１２の挿入を容易にさせながら、引き抜きしにくくすることができる。
【００２８】
また、抜け止め用シート２２の一端２２ａと他端２２ｂとの間にミシン目２２ｄを形成したので、ミシン目２２ｄを境にヒンジ用開口３ｂの内側周縁３ｄに貼り付ける一端２２ａ側と揺動可能な他端２２ｂ側とを容易に構成できる。
【００２９】
したがって、本実施形態に係るスマートフォン１によると、筐体３の開口部３ａを塞ぐカバー１０を挿入荷重は小さいが引き抜きがたいものにすることができる。
【００３０】
（実施形態２）
図８〜図１１は本発明の実施形態２のスマートフォン１０１を示し、カバー１１０及び抜け止め用シート１２２の形状が異なる点で上記実施形態１と異なる。なお、本実施形態では、図１〜図７と同じ部分については同じ符号を付してその詳細な説明は省略する。
【００３１】
本実施形態では、筐体１０３の左右側面は、この筐体１０３に嵌め込んだ装飾部材１１３で覆われている。このため、カバー収容凹部３ｃは装飾部材１１３に設けられている。
【００３２】
本実施形態のカバー１１０は、上下端部が丸まった形状であり、カバーヒンジ１１１は、例えば断面円形の軸状となっている。このカバーヒンジ１１１の先端側に基端側よりも大径となったカエリ部１１２が一体に成形されている。カエリ部１１２は、例えば丸棒状のカバーヒンジ１１１から互いに離れる方向に延びる突起よりなり、丸棒の全周のうち一部にカエリ部１１２のない領域がある。
【００３３】
そして、本実施形態の抜け止め用シート１２２は、図９及び図１１に示すように、上記実施形態１のものとは形状が異なっている。一端１２２ａがヒンジ用開口３ｂの内側周縁３ｄに垂直な面に固定されている。具体的には、一端１２２ａは、ジャックホルダ２１の側面に固定されており、他端１２２ｂがヒンジ用開口３ｂの内側周縁３ｄに対して離れる方向（図１０の左方向）に揺動可能に構成されている。他端１２２ｂは、一部が円弧状の切欠き１２２ｃで切り欠かれている。
【００３４】
この構成によると、抜け止め用シート１２２をヒンジ用開口３ｂ周縁における筐体３の厚さ方向に設ける必要がなくなり、筐体３の厚さを増やすことなく抜け止め用シート１２２の可動長さを長くできるので、上記実施形態１のようにミシン目２２ｄを設けなくても構成できる。
【００３５】
また、本実施形態では、他端１２２ｂの一部に切欠き１２２ｃを設け、カエリ部１１２のない部分を設けたことにより、図１０の位置でカエリ部１１２が他端１２２ｂを揺動させることができる一方、図１１に示すように、カバーヒンジ１１１を回転させると、他端１２２ｂの切欠き１２２ｃの部分とカバーヒンジ１１１のカエリ部１１２のない部分とで、揺動されていた他端１２２ｂが元の位置に戻る。このようにすれば、他端１２２ｂを揺動前の元の位置に戻すためだけに差し込み量を増やす必要がなくなり、カバーヒンジ１１１を短く構成できてよい。
【００３６】
（実施形態３）
図１２〜図１４は本発明の実施形態３のスマートフォン２０１を示し、抜け止め用シート２２２の形状及び固定方法が異なる点で上記実施形態２と異なる。なお、本実施形態では、図１〜図１２と同じ部分については同じ符号を付してその詳細な説明は省略する。
【００３７】
すなわち、本実施形態の抜け止め用シート２２２は、貼付側の一端２２２ａと、揺動側の他端２２２ｂとが、筐体３の長手方向（上下方向）に並んでいる。切欠き２２２ｃは、カバーヒンジ１１の断面に合わせて半長円形となっている。
【００３８】
一端２２２ａは、ジャックホルダ２１とヒンジ用開口３ｂの内側周縁３ｄで挟み込まれている。
【００３９】
この構成によると、抜け止め用シート２２２の長手方向が、筐体１０３の上下方向に並んでいるので、厚さを増やすことなく抜け止め用シート２２２の可動長さを長くできる。このため、本実施形態でも、上記実施形態１のようにミシン目２２ｄを設けなくても構成できる。また、一端２２２ａがジャックホルダ２１とヒンジ用開口３ｂの内側周縁３ｄとで挟み込まれているので、カバーヒンジ１１１を挿入するときに一端２２２ａを剥がす方向に力が働いても剥がれにくい。
【００４０】
（その他の実施形態）
本発明は、上記実施形態について、以下のような構成としてもよい。
【００４１】
すなわち、上記実施形態では、電子機器は、スマートフォン１としたが、携帯電話機、タブレット端末、ＰＨＳ（Personal Handy-phone System ）、ＰＤＡ(Personal Digital Assistant)、パソコン、モバイルツール、ウェアラブル端末、電子辞書、電卓、ゲーム機等であってもよく、小型の液晶ディスプレイ、液晶テレビ、ブルーレイディスクレコーダ、ＤＶＤレコーダ等であってもよい。
【００４２】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４３】
１      スマートフォン
２      液晶表示部
３      筐体
３ａ    開口部
３ｂ    ヒンジ用開口
３ｃ    カバー収容凹部
３ｄ    内側周縁
４      メイン基板
５      リアカバー
６      充電池
７      メインアンテナ
８      ＳＩＭトレイ
９      マイクロＳＤカード
１０      カバー
１０ａ    カバー本体
１０ｂ    パッキン部
１１      カバーヒンジ
１２      カエリ部
２０      ヘッドホンジャック
２１      ジャックホルダ
２２      抜け止め用シート
２２ａ    一端
２２ｂ    他端
２２ｃ    切欠き
２２ｄ    ミシン目
２２ｅ    脚部
２３      マイクロＵＳＢ端子用コネクタ
１０１      スマートフォン
１０３      筐体
１１０      カバー
１１１      カバーヒンジ
１１２      カエリ部
１１３      装飾部材
１２２      抜け止め用シート
１２２ａ    一端
１２２ｂ    他端
１２２ｃ    切欠き
２０１      スマートフォン
２２２      抜け止め用シート
２２２ａ    一端
２２２ｂ    他端
２２２ｃ    切欠き
【図１】
2017069343.tif 000003
【図２】
2017069343.tif 000004
【図３】
2017069343.tif 000005
【図４】
2017069343.tif 000006
【図５】
2017069343.tif 000007
【図６】
2017069343.tif 000008
【図７】
2017069343.tif 000009
【図８】
2017069343.tif 000010
【図９】
2017069343.tif 000011
【図１０】
2017069343.tif 000012
【図１１】
2017069343.tif 000013
【図１２】
2017069343.tif 000014
【図１３】
2017069343.tif 000015
【図１４】
2017069343.tif 000016